(57)【要約】  【課題】複数台の携帯通信端末のデータを混合することなくバックアップし、且つ、第三者からデータの保護も可能にする。  【解決手段】携帯通信端末１１内に保管されているデータを受信してバックアップ用メモリ２６ｂに保管するバックアップ処理と、該メモリ２６ｂから再び携帯通信端末１１にリストアするリストア処理とを実行するデータバックアップ手段と、充電器１２に個々に装着されてくる複数台の携帯通信端末１１が所有している各識別情報を認識し、データバックアップ手段によるデータの保管場所を各携帯通信端末１１毎に管理する携帯通信端末識別手段とを有する通信制御演算部２７を備える。【選択図】図２
2006295382.tif 000002
【特許請求の範囲】
【請求項１】
携帯通信端末に電力を供給する充電部と該携帯通信端末から送られてくるデータを保存するバックアップ用メモリとを有した充電器を用いるデータバックアップ機能付き携帯通信端末用充電システムにおいて、
前記携帯通信端末内に保管されているデータを受信してメモリに保管するバックアップ処理と、該メモリから再び前記携帯通信端末にリストアするリストア処理とを行うデータバックアップ手段と、
前記データバックアップ手段に個々に装着されてくる複数台の携帯通信端末が個々に所有している識別情報を認識し、前記データバックアップ手段によるデータの保管場所を各携帯通信端末毎に管理する携帯通信端末識別手段、
とを有する通信制御演算部を備えたことを特徴とするデータバックアップ機能付き携帯通信端末用充電システム。
【請求項２】
上記通信制御演算部が、上記携帯通信端末の識別情報を登録しておき、上記携帯通信端末識別手段により認識された識別情報を登録情報と参照し、双方の情報が一致したときに上記バックアップ処理またはリストア処理を許可する判定手段を備えたことを特徴とする請求項１記載のデータバックアップ機能付き携帯通信端末用充電システム。
【請求項３】
上記充電器に、上記携帯通信端末の識別情報を登録する初期登録用の操作部材を設けたことを特徴とする請求項１または２記載のデータバックアップ機能付き携帯通信端末用充電システム。
【請求項４】
上記通信制御演算部は、上記データバックアップ手段によるデータ保管が、以前のデータを消去せずに残したまま保管するように、前記データバックアップ手段を制御するようにしたことを特徴とする請求項１，２または３記載のデータバックアップ機能付き携帯通信端末用充電システム。
【請求項５】
上記携帯通信端末の識別情報として、任意のパスワード又は指紋を使用するようにしたことを特徴とする請求項１，２，３または４記載のデータバックアップ機能付き携帯通信端末用充電システム。
【請求項６】
上記携帯通信端末の識別情報として、該携帯通信端末に記憶されている任意の電話番号あるいはメールアドレスを使用することを特徴とする請求項１，２，３，４または５記載のデータバックアップ機能付き携帯通信端末用充電システム。
【請求項７】
携帯通信端末に電力を供給する充電部と該携帯通信端末から送られてくるデータを保存するバックアップ用メモリとを有した充電器を用いて、前記携帯通信端末のデータをバックアップするために、コンピュータを、
前記携帯通信端末内に保管されているデータを受信してメモリに保管するバックアップ処理と、該メモリから再び前記携帯通信端末にリストアを行うリストア処理とを行うデータバックアップ手段と、
前記データバックアップ手段に個々に装着されてくる複数台の携帯通信端末が個々に所有している識別情報を認識し、前記データバックアップ手段によるデータの保管場所を各携帯通信端末毎に管理する携帯通信端末識別手段、
として機能させることを特徴とするデータバックアップ機能付き携帯通信端末用充電プログラム。
【発明の詳細な説明】
【技術分野】
【０００１】
本発明はデータバックアップ機能付き携帯通信端末用充電システム及びデータバックアップ機能付き携帯通信端末用充電プログラムに関するものであり、特に、複数台の携帯通信端末を個々に認識し、その携帯通信端末毎のデータを保管しておくことが可能なデータバックアップ機能付き携帯通信端末用充電システム及びデータバックアップ機能付き携帯通信端末用充電プログラムに関するものである。
【背景技術】
【０００２】
近年、携帯電話端末は、個人用から事業用まで幅広く多用されている。また、多種機能が付属され、使用者が携帯電話端末に保存されるデータ量、及び、種類も増大してきている。これらのデータは、使用者にとって非常に重要なものであることが多い。
【０００３】
しかしながら、携帯電話端末は、故障したり、紛失したりすることがあり得る。したがって、大量のデータを保存・管理するようになると、故障や紛失によってデータが無くなると、使用者に与える被害は重大なものとなる。
【０００４】
そこで、このような問題を解決するために、携帯電話本体に外部記録装置を接続して、外部記録装置にデータをバックアップするもの、あるいは携帯電話端末機用の充電器にメモリを搭載して充電を行いながらデータをバックアップまたはリストア処理を行う技術も提案されている(例えば、特許文献１参照)。
【特許文献１】特開２０００−３２４２３７号公報。
【発明の開示】
【発明が解決しようとする課題】
【０００５】
特許文献１に記載されている携帯電話のデータバックアップ機能付充電器は、携帯電話端末を充電器に差し込みをするだけでデータのバックアップを容易に行うことができる。しかし、複数台の携帯電話端末を共用して使用すると、混合してデータのバックアップ処理を行ってしまうという問題があった。また、データをリストア処理するときに、前のデータを他の携帯電話端末にリストアしてしまうことも考えられ、個人情報の漏洩等、セキュリティの面で問題があった。
【０００６】
そこで、複数台の携帯通信端末のデータを混合することなくバックアップが行える機能を持たせ、かつ、第三者にデータ流出することを確実に保護できるようにするために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、携帯通信端末に電力を供給する充電部と該携帯通信端末から送られてくるデータを保存するバックアップ用メモリとを有した充電器を用いるデータバックアップ機能付き携帯通信端末用充電システムにおいて、前記携帯通信端末内に保管されているデータを受信してメモリに保管するバックアップ処理と、該メモリから再び前記携帯通信端末にリストアするリストア処理とを行うデータバックアップ手段と、前記データバックアップ手段に個々に装着されてくる複数台の携帯通信端末が個々に所有している識別情報を認識し、前記データバックアップ手段によるデータの保管場所を各携帯通信端末毎に管理する携帯通信端末識別手段、とを有する通信制御演算部を備えたデータバックアップ機能付き携帯通信端末用
充電システムを提供する。
【０００８】
このシステム構成によれば、充電器に携帯通信端末が装着されると、その携帯通信端末固有の情報が認識され、この識別情報を基にして、データバックアップ手段によりバックアップされたデータの保管場所が決められて保管され、反対に、その保管場所からのデータを自由にリストアすることができる。
【０００９】
これにより、複数台の携帯通信端末のデータが混合されることなくバックアップをすることができる。また、決められた携帯通信端末に決められた保管場所からのバックアップデータをリストアするので、第三者に対するデータの保護も行うことができる。
【００１０】
請求項２記載の発明は、請求項１において、上記通信制御演算部が、上記携帯通信端末の識別情報を登録しておき、上記携帯通信端末識別手段により認識された識別情報を登録情報と参照し、双方の情報が一致したときに上記バックアップ処理またはリストア処理を許可する判定手段を備えたデータバックアップ機能付き携帯通信端末用充電システムを提供する。
【００１１】
このシステム構成によれば、充電器に携帯通信端末が装着されると、既に登録されている携帯通信端末であるか否かを判定し、登録されている携帯通信端末である場合だけ、そのデータのバックアップまたはリストア処理を行うので、データの混合や第三者に対するデータ保護も管理できる。
【００１２】
請求項３記載の発明は、請求項１または２において、上記充電器に、上記携帯通信端末の識別情報を登録する初期登録用の操作部材を設けたデータバックアップ機能付き携帯通信端末用充電システムを提供する。
【００１３】
このシステム構成によれば、初期登録用の操作部材を操作すると、未登録状態にある携帯通信端末の識別情報を充電器に登録できる。
【００１４】
請求項４記載の発明は、請求項１，２または３において、上記通信制御演算部は、上記データバックアップ手段によるデータ保管が、以前のデータを消去せずに残したまま保管するように、前記データバックアップ手段を制御するようにしたデータバックアップ機能付き携帯通信端末用充電システムを提供する。
【００１５】
このシステム構成によれば、以前のデータを充電器に残したまま、新たなデータをバックアップし、かつ、リストアすることができる。
【００１６】
請求項５記載の発明は、請求項１，２，３または４において、任意のパスワード又は指紋を使用するデータバックアップ機能付き携帯通信端末用充電システムを提供する。
【００１７】
このシステム構成によれば、携帯通信端末の識別をする情報として使用者が所有するパスワード又は指紋を使用して管理する。
【００１８】
請求項６記載の発明は、請求項１，２，３，または５において、上記携帯通信端末の識別情報として、該携帯通信端末に記憶されている任意の電話番号あるいはメールアドレスを使用するデータバックアップ機能付き携帯通信端末用充電システムを提供する。
【００１９】
このシステム構成によれば、携帯通信端末における使用者の識別情報として、該携帯通信端末に記憶されている任意の電話番号あるいはメールアドレスを使用して管理する。
【００２０】
請求項７記載の発明は、携帯通信端末に電力を供給する充電部と該携帯通信端末から送られてくるデータを保存するバックアップ用メモリとを有した充電器を用いて、前記携帯通信端末のデータをバックアップするために、コンピュータを、前記携帯通信端末内に保管されているデータを受信してメモリに保管するバックアップ処理と、該メモリから再び前記携帯通信端末にリストアを行うリストア処理とを行うデータバックアップ手段と、前記データバックアップ手段に個々に装着されてくる複数台の携帯通信端末が個々に所有している識別情報を認識し、前記データバックアップ手段によるデータの保管場所を各携帯通信端末毎に管理する携帯通信端末識別手段、として機能させるデータバックアップ機能付き携帯通信端末用充電プログラムを提供する。
【００２１】
このプログラム構成によれば、充電器に携帯通信端末が装着されると、その携帯通信端末固有の情報が認識され、この識別情報を基に、データバックアップ手段によりバックアップされたデータの保管場所が決められて保管され、反対に、その保管場所からのデータをリストアすることができるデータバックアップ機能付充電装置が得られる。
【００２２】
このデータバックアップ機能付充電装置では、複数台の携帯通信端末のデータが混合されることなくバックアップをすることができ、また、決められた携帯通信端末に決められた保管場所からのバックアップデータをリストアするので、第三者に対するデータの保護も行うことができる。
【発明の効果】
【００２３】
請求項１記載の発明は、複数台の携帯通信端末のデータが混合されることなくバックアップをすることができるので、一台の充電器を複数台で共用することができる。しかも、決められた携帯通信端末に、決められた保管場所からのバックアップデータをリストアするので、第三者に対するデータ保護も管理できる。
【００２４】
請求項２記載の発明は、データバックアップ手段に携帯通信端末が装着されると、既に登録されている携帯通信端末であるか否かを判定し、登録されている携帯通信端末である場合だけ、そのデータのバックアップまたはリストア処理を行うので、データの混合や第三者に対するデータ保護がさらに強化でき、請求項１記載の発明の効果に加えて、さらにデータの保護が図れる。
【００２５】
請求項３記載の発明は、初期登録ボタンを操作すると、未登録状態にある携帯通信端末の識別情報を通信制御演算部に登録することができるので、請求項１または２記載の発明の効果に加えて、携帯通信端末の識別情報を登録するときの操作性が向上する。
【００２６】
請求項４記載の発明は、以前のデータを充電器に残したままで、新たなデータをバックアップし、かつ、リストアすることができるので、請求項１，２または３記載の発明の効果に加えて、データのバックアップ機能が著しく向上するという優れた効果を奏する。
【００２７】
請求項５記載の発明は、携帯通信端末の識別を、任意のパスワード又は指紋を使用するので、携帯電話を変えた場合でもバックアップあるいはリストアすることができ、 請求項１，２，３または４記載の発明の効果に加えて、データのバックアップ処理がさらに簡単になる。
【００２８】
請求項６記載の発明は、携帯通信端末の識別を、該携帯通信端末に記憶されている任意の電話番号あるいはメールアドレスを識別情報として使用し、管理するので、任意の電話番号あるいはメールアドレスが入っている携帯通信端末だけがバックアップあるいはリストアすることができ、 請求項１，２，３または４記載の発明の効果に加えて、データのバックアップ処理がさらに簡単になる。
【００２９】
請求項７記載の発明は、数台の携帯通信端末のデータが混合されることなくバックアップをすることができるので、充電器を複数台で共用することができる。しかも、決められた携帯通信端末に、決められた保管場所からのバックアップデータをリストアするので、第三者からデータの保護も行うことができる。
【発明を実施するための最良の形態】
【００３０】
以下、本発明に係るデータバックアップ機能付き携帯通信端末用充電システムについて、好適な実施例をあげて説明する。
【００３１】
複数台の携帯通信端末のデータを混合することなくバックアップが行える機能を持たせ、第三者からのデータ取得を確実に防止できるという目的を達成するために、携帯通信端末に電力を供給する充電部と該携帯通信端末から送られてくるデータを保存するバックアップ用メモリとを有した充電器を用いるデータバックアップ機能付き携帯通信端末用充電システムにおいて、前記携帯通信端末内に保管されているデータを受信してメモリに保管するバックアップ処理と、該メモリから再び前記携帯通信端末にリストアするリストア処理とを行うデータバックアップ手段と、前記データバックアップ手段に個々に装着されてくる複数台の携帯通信端末が個々に所有している識別情報を認識し、前記データバックアップ手段によるデータの保管場所を各携帯通信端末毎に管理する携帯通信端末識別手段、とを有する通信制御演算部を備えたデータバックアップ機能付き携帯通信端末用充電システムを提供することにより実現した。
【実施例】
【００３２】
図１は本発明の実施例に係るデータバックアップ機能付き携帯通信端末用充電システムの外観斜視図である。図１において、このデータバックアップ機能付き携帯通信端末用充電システム１０は、携帯通信端末(携帯電話機)１１とデータバックアップ機能付き携帯通信端末用充電器１２(以下、単に「充電器１２」という)とからなる。
【００３３】
充電器１２は、充電器本体の上面１２a側に携帯通信端末１１を受容する受容凹部１３を有し、前面１２ｂ側にはパスワード（暗証番号）の数字等を入力するための十字キー１４と、各種の操作を決定するための入力決定用の決定キー１５と、パスワードを表示したりデータ転送数等の各種の情報を表記するための表示器１６と、切り換え態様や充電状態を表示したりするための発光ダイオード(LED)１７を設けている。尚、本人認証手段として、指紋センサ等の生体認証手段を使用してもよい。
【００３４】
そして、充電器１２には、電源ケーブル１８を介してコンセントから商用電源(通常、ＡＣ１００Ｖ電源)が供給される。また、十字キー１４及び決定キー１５は、バックアップ操作等を行うためのバックアップ処理開始ボタン、リストア処理開始ボタン及び情報設定用の入力手段等の操作部を兼ねる。この操作状態は表示器１６に表示されるようになっている。
【００３５】
図２は、データバックアップ機能付き携帯通信端末用充電システム１０の回路機能を示すブロック回路図を示す。図２において、携帯通信端末１１は、各種データを保存するバックアップ用のメモリ１９と、電話の発着信及びデータの送受信を行う無線部２０と、この携帯通信端末１１の各種構成要素を制御する制御部２１と、バッテリ２２と、データバックアップ用の充電器１２に接続される充電端子２３と、充電器１２に対するデータ送受信用のデータ端子２４とを備えている。
【００３６】
充電器１２は、携帯通信端末１１と接続された際に、その携帯通信端末１１のバッテリ２２に電力を供給して充電する充電部２５と、携帯通信端末１１のメモリ１９から読み出
したデータを一時的に保存するフラッシュメモリ２６ａと、フラッシュメモリ２６ａで記憶したデータをバックアップデータとして記憶しておくバックアップ用メモリ２６ｂと、この充電器１２の各構成要素を制御する通信制御演算部２７と、携帯通信端末１１のバッテリ２２と接続される充電端子２８と、携帯通信端末１１に対するデータ送受信用のデータ端子２９と、上記十字キー１４及び決定キー１５等を設けた操作部３０を備えている。
【００３７】
また、充電端子２８とデータ端子２９は、受容凹部１３内に配置されており、受容凹部１３内に携帯通信端末１１が受容されると、充電端子２３と充電端子２８、及びデータ端子２４とデータ端子２９とがそれぞれ接続する構造になっている。
【００３８】
通信制御演算部２７は、マイクロコンピュータ(通称「マイコン」)で構成されており、予め組み込まれているプログラムの手順により、携帯通信端末１１のメモリ１９に保存されているデータをフラッシュメモリ２６ａを介してバックアップ用メモリ２６ｂに最終保管するバックアップ処理と、バックアップ用メモリ２６ｂから再び携帯通信端末１１のメモリ１９にリストアするリストア処理とを行う。
【００３９】
次に、携帯通信端末１１のメモリ１９に保存されているデータをバックアップ用メモリ２６ｂに保管するバックアップ処理、及び、バックアップ用メモリ２６ｂから再び携帯通信端末１１のメモリ１９にリストアを行うリストア処理の動作について説明する。
【００４０】
なお、充電器１２を使用してバックアップ処理及びリストア処理を行うには、充電器１２に対する携帯通信端末１１の初期登録と、処理態様の選択を行う必要とがある。これらの操作は、操作部３０の図１に示した十字キー１４及び決定キー１５を用い、かつ、同じく図１に示した表示器１６に表示されるガイドに従って操作することにより行うことができる。また、初期登録、処理態様の選択を行っていない場合でも、充電だけの操作は行うことができる。
【００４１】
（初期登録処理）
充電器１２に対する携帯通信端末１１の初期登録は、図３を参照して説明する。まず、使用者は十字キー１４及び決定キー１５を用いて充電器１２を初期登録要求態様に切り換える(ステップＳ１)。
【００４２】
続いて、携帯通信端末１１を充電器１２の受容凹部１３内に挿入配置する（ステップＳ２）。図１は、携帯通信端末１１が充電器１２の受容凹部１３内に配置された状態を示している。これにより、充電器１２の充電端子２８と携帯通信端末１１の充電端子２３とが接続され、さらに充電器１２のデータ端子２９と携帯通信端末１１のデータ端子２４とがそれぞれ接続される。
【００４３】
携帯通信端末１１が受容凹部１３内に配置されると、通信制御演算部２７に初期登録要求信号が送出される（ステップＳ３）。通信制御演算部２７では、バックアップ用メモリ２６ｂにデータを保管するだけの残容量があるか否かを判定し(ステップＳ４)、無ければ表示器１６にその旨を表示して終了する。
【００４４】
一方、残容量があれば、携帯通信端末１１に対して携帯識別信号を要求して（ステップＳ５）、携帯通信端末１１からＩＤ信号を受信し(ステップＳ６)、これをＩＤ登録する(ステップＳ７)。ここでのＩＤ信号は、例えば携帯通信端末１１の制御部２１で保有している電話番号あるいはメールアドレスである。
【００４５】
続いて、パスワード（暗証番号）の登録を要求し、パスワードを登録すると初期登録が終了する(ステップＳ８，Ｓ９，Ｓ１０)。これで、この携帯通信端末１１が、充電器１２
を使用してデータバックアップ処理及びデータリストア処理を受けることが可能になる。
【００４６】
（データバックアップ処理）
次に、携帯通信端末１１のメモリ１９に保存されているデータをバックアップ用メモリ２６に保管する場合の動作（バックアップ処理）について、図４に基づき説明する。まず、バックアップ処理を実行するには、使用者が十字キー１４及び決定キー１５を用いて、充電器１２をバックアップ処理態様に切り換えておく（ステップＳ１１）。
【００４７】
続いて、使用者が携帯通信端末１１を充電器１２の受容凹部１３内に挿入配置する(ステップＳ１２)。充電器１２から電力の供給があると、携帯通信端末１１の制御部２１は、バッテリ２２の残量を検出し、充電が必要であれば充電処理を開始する。
【００４８】
一方、充電器１２の通信制御演算部２７は、受容凹部１３内に挿入配置された携帯通信端末１１に対して、自動的に携帯識別信号を要求し(ステップＳ１３)、携帯通信端末１１より送られてくるＩＤ信号を受信すると(ステップＳ１４)、登録判定を行う(ステップＳ１５)。
【００４９】
登録判定で、任意のデータが一致した場合、充電器１２内に登録されている携帯通信端末１１と見做し、自動的に充電器１２からデータ要求信号を出す(ステップＳ１６)。携帯通信端末１１は、そのデータ要求信号を受信すると、データ転送を始める。充電器１２は、データを受信し(ステップＳ１７)、そのデータを一度フラッシュメモリ２６ａに保存する。したがって、データ転送中に携帯通信端末１１が充電器１２から外されてもデータは保護される。
【００５０】
フラッシュメモリ２６ａに保存されたデータは、その後、充電器１２内のバックアップ用メモリ２６ｂにバックアップデータとして保存され、バックアップ処理が終了する(ステップＳ１８)。ここでの、データのバックアップは、携帯通信端末１１の現在のデータのみを保存しておくのではなく、現在のデータに存在していなくても、過去に存在しデータ以前の全てのデータも消去せずに保存しておく。
【００５１】
ステップＳ１４の登録判定において、任意のデータが一致しない場合は、データのバックアップは行わず、図３に示した初期登録を済ますと、バックアップ処理を行うことができる。
【００５２】
（データリストア処理）
次に、充電器１２のバックアップ用メモリ２６ｂにバックアップしているデータを携帯通信端末１１のメモリ１９にリストアする場合の動作（リストア処理）について、図５に基づき説明する。まず、リストア処理を実行するには、使用者が十字キー１４及び決定キー１５を用いて、充電器１２をリストア処理態様に切り換えておく（ステップＳ２１）。
【００５３】
続いて、使用者が携帯通信端末１１を充電器１２の受容凹部１３内に挿入配置する(ステップＳ２２)。充電器１２から電力の供給があると、携帯通信端末１１の制御部２１は、バッテリ２２の残量を検出し、充電が必要であれば充電処理を開始する。
【００５４】
一方、充電器１２の通信制御演算部２７は、受容凹部１３内に挿入配置された携帯通信端末１１に対して、自動的に携帯識別信号とパスワードを要求し(ステップＳ２３)、携帯通信端末１１より送られてくる携帯識別信号とパスワードとからなるＩＤ信号を受信し(ステップＳ２４)、受信後にＩＤ信号データの判定を行う(ステップＳ２５)。
【００５５】
ステップＳ２５のＩＤ信号データ判定において、ＩＤ信号データが登録済みデータと一
致している場合、正規に携帯通信端末１１を所有している使用者と見做し、充電器１２のバックアップ用メモリ２６ｂ内のデータを携帯通信端末１１のメモリ１９に向けて転送し（ステップＳ２６）、そのデータが携帯通信端末１１のメモリ１９にリストアされる（ステップＳ２７，Ｓ２８）。
【００５６】
また、ステップＳ２５の登録判定において、任意のデータが一致しない場合は、携帯通信端末１１に向けてのデータ転送は行わず、その旨を表示器１６に表示する。これにより、第三者によるデータ取得を不可能にする。
【００５７】
したがって、この実施例における充電システムによれば、複数台の携帯通信端末１１のデータを混合することなく、円滑にバックアップすることができるので、１台の充電器１２を複数台の携帯通信端末１１で共用することができる。しかも、決められた携帯通信端末１１に、決められた保管場所からのバックアップデータをリストアするので、第三者に対するデータの保護も行うことができる。
【００５８】
また、本実施例は、バックアップデータのリストア時に、所有者が新しい携帯電話（携帯通信端末）に取り換えた場合でも、上記データを混合することなく円滑にリストアを行うことができる。この場合、充電器１２の通信制御演算部は、携帯識別信号を要求せずに、ＩＤ信号データ判定を行うようにする。つまり、携帯電話の識別等は行わずに、パスワード、もしくは、指紋認証等のみで所有者の識別を行うものとする。
【００５９】
例えば、所有者が新規に携帯電話を購入した場合には、携帯電話の識別に代えて、所有者の識別をパスワードまたは指紋認証等で行い、これにより、充電器１２のバックアップ用メモリ内に保存されている各種データを、所有者が購入した新規の携帯電話のメモリにそのまま取り込むことができる。
【００６０】
本発明によれば、充電器１２とパソコンをＵＳＢケーブル等で繋ぐことにより、携帯電話に保存されている各種データをパソコンで一元管理することもできる。
【００６１】
尚、本発明は、本発明の精神を逸脱しない限り種々の改変を為すことができ、そして、本発明が該改変されたものに及ぶことは当然である。
【図面の簡単な説明】
【００６２】
【図１】本発明の実施例に係るデータバックアップ機能付き携帯通信端末用充電システムの外観斜視図である。
【図２】データバックアップ機能付き携帯通信端末用充電システムのブロック回路図である。
【図３】充電器に携帯通信端末を初期登録する処理手順の一例を示すフローチャートである。
【図４】充電器側でデータバックアップ処理を行う手順の一例を示すフローチャートである。
【図５】充電器側でデータリストア処理を行う手順の一例を示すフローチャートである。
【符号の説明】
【００６３】
１０      データバックアップ機能付き携帯通信端末用充電システム
１１      携帯通信端末
１２      データバックアップ機能付き携帯通信端末用充電器
１３      受容凹部
１４      十字キー
１５      決定キー
１６      表示器
１７      発光ダイオード
１８      電源ケーブル
１９      メモリ
２０      無線部
２１      制御部
２２      バッテリ
２３      充電端子
２４      データ端子
２５      充電部
２６ａ    フラッシュメモリ
２６ｂ    バックアップ用メモリ
２７      通信制御演算部
２８      充電端子
２９      データ端子
３０      操作部
【図１】
2006295382.tif 000003
【図２】
2006295382.tif 000004
【図３】
2006295382.tif 000005
【図４】
2006295382.tif 000006
【図５】
2006295382.tif 000007